(57)【要約】      （修正有）【課題】携帯型でいかなる場所でも簡単に水素ガス、水素水を数秒程度で水素を発生させる携帯型水素発生器の提供。【解決手段】水素化カルシウムまたは金属カルシウムを水と反応せしめ水素を発生するとともに、生成する水酸化カルシウムCa(OH)2〔反応(1)〕の水溶液を水素化アルミニウムまたは金属アルミニウムと反応せしめることにより〔反応(2)〕2段式に更に水素を連続して発生させることを特徴とする簡単な携帯型水素発生器。本発明により水素ガス、水素水が生成される。水素ガスは浴槽に入れることにより水素風呂として用いることができる。【選択図】図１
2019104664.tif 000002
【特許請求の範囲】
【請求項１】
水素化カルシウムまたは金属カルシウムを水と反応せしめ  水素を発生するとともに生成する水酸化カルシウム  Ca(OH)2〔反応(1)〕の水溶液を水素化アルミニウムまたは金属アルミニウムと反応せしめることにより〔反応(2)〕2段式に更に水素を連続して発生させることを特徴とする、簡単な携帯型水素発生器。
【請求項２】
請求項１に記載の携帯型水素発生器により水素ガス、水素水が生成される。
【請求項３】
請求項１に記載の携帯型水素発生器により生成した水素ガスは浴槽に入れることにより水素風呂として用いることができる。
【請求項４】
図2の水素発生器の底部の下に3色LEDを設置してグラデーション照明により水素発生の泡に反射して安らぎモードを醸し出す。又同時にこのグラデーション照明と同期して小鳥のさえずり音発生器を設置すると気分爽快感が出る。
【発明の詳細な説明】
【技術分野】
【０００１】
本発明は、携帯型水素発生器に関するものである。特に、携帯型でいかなる場所でも簡単に水素ガス、水素水を数秒程度で水素を発生させる装置に関するものである。
【背景技術】
【０００２】
現今は水素エネルギー時代の到来といわれており、安価で安全な水素の製造及び貯蔵技術が求められている。
【発明の概要】
【発明が解決しようとする課題】
【０００３】
本発明では電解法のような大掛かりな設備を必要とせず、且つ容易に入手でき  安価、安全な固体材料を用いて  携帯可能な水素発生器により  水素を効果的に製造するものである。
【０００４】
本発明では水素化カルシウムまたは金属カルシウムを水と反応せしめ  水素を発生するとともに生成する水酸化カルシウム  Ca(OH)2・・〔反応(1)〕
の水溶液を水素化アルミニウムまたは金属アルミニウムと反応せしめることにより〔反応(2)〕
更に水素を連続して発生させることを特徴とする。
【０００５】
反応(1)を化学反応式で表す。  Ca＋2H2O→Ca(OH)2＋H2↑
反応(2)を化学反応式で表す。  2AL＋6H2O＋3Ca(OH)2→Ca3AL2(OH)12＋3H2↑
反応(1)においてカルシウムCaは市販品の水素化カルシウムまたは金属カルシウムCa粒を用いる。
反応(2)におけるアルミニウムALについても市販品の水素化アルミニムまたは金属アルミニウムAL粒を用いるが、市販品のAL箔を細かく切断したものを用いても良い。
発生した水素ガスを水フイルターへ通して水素以外の不純物を取り除く。
【０００６】
図１に示された携帯型水素発生器は、水素化カルシウムまたは金属カルシウムは水と反応して水素を発生すること、水素化アルミニウムまたは金属アルミニウムは強塩基の水溶液に溶解し水素を発生することは従来より知られている。
【課題を解決するための手段】
【０００７】
本発明の水素ガスは放射線の内部被ばくした人が吸引することにより活性酸素を中和して症状を和らげる。
また  浴槽中に水素ガスでバブリングすることにより  温浴効果がある。
【０００８】
本発明の水素水は  がん患者に効果があり、肌がきれいになるとも言われている。
【０００９】
本発明では水素化カルシウムまたは金属カルシウムを水と反応せしめ  水素を発生するとともに生成する水酸化カルシウム  Ca(OH)2・・〔反応(1)〕
の水溶液を水素化アルミニウムまたは金属アルミニウムと反応せしめることにより〔反応(2)〕
更に水素を連続して発生させることを特徴とする。
【００１０】
反応(1)を化学反応式で表す。  Ca＋2H2O→Ca(OH)2＋H2↑
反応(2)を化学反応式で表す。  2AL＋6H2O＋3Ca(OH)2→Ca3AL2(OH)12＋3H2↑
反応(1)においてカルシウムCaは市販品の水素化カルシウムまたは金属カルシウムCa粒を用いる。
反応(2)におけるアルミニウムALについても市販品の水素化アルミニウムまたは金属アルミニウムAL粒を用いるが、市販品のAL箔を細かく切断したものを用いても良い。
【００１１】
水素化カルシウムまたは金属カルシウム  1.0ｇ、水素化アルミニウムまたは金属アルミニウム  0.5ｇ、水200ｍLを用いた場合の水素発生量をグラフで示す。
【００１２】
水素化カルシウムまたは金属カルシウム及び水素化アルミニウムまたは金属アルミニウムのパッケージ方法として  水素化カルシウムまたは金属カルシウムは空気中の酸素及び水分と容易に反応するため  反応を防止する絶縁材で水素化カルシウムまたは金属カルシウムをコーティングする。また  水素化アルミニウムまたは金属アルミニウムは常態では安定しているが  粉末の場合は扱いにくいため  オブラート袋等に入れて扱い易くする。  
これらを酸化防止剤、シリカゲルと一緒に図1の如くアルミラミネートパウチへ入れて封入する。
【発明の効果】
【００１３】
水素ガス、水素水が必要な時に  水素化カルシウムまたは金属カルシウムを水に投入して  水素を発生するとともに  生成する水酸化カルシウムCa(OH)2の水溶液を水素化アルミニウムまたは金属アルミニウムと反応せしめることにより更に水素を連続して発生させることができる。
【図面の簡単な説明】
【００１４】
【図１】水素化カルシウムまたは金属カルシウム及び水素化アルミニウムまたは金属アルミニウムのパッケージ方法で  これらを酸化防止剤、シリカゲルと一緒に図の如くアルミラミネートパウチへ入れて封入する。
【図２】発生した水素ガスを水フイルターへ通して水素以外の不純物を取り除く。出てきた水素ガスをマスクまたはカニューラ等で吸引する。また  水フイルターとして使用した水は水中に水素ガスが混入しているため水素水として飲用する。
【発明を実施するための形態】
【００１５】
以下、本発明に係る実施形態について図面を参照して説明する。
図2は水素化カルシウムまたは金属カルシウム、水素化アルミニウムまたは金属アルミニウムを発生源とする携帯型水素発生器の透過側面図である。
水素発生器に水を約80％入れる。水素発生器はガラス製、樹脂製いずれでも構わない。
水フイルターにも水を約80％入れる。容器はガラス製、樹脂製いずれでも構わない。これらをチューブで接続する。水フイルターには  吸入マスクまたはカニューラを接続する。
使用時は全項のアルミラミネートパウチを破って水素発生に投入するが  内容物を取り出して投入するか  破ったアルミラミネートパウチのまま投入しても構わない。
発生する水素ガスをマスクまたはカニューラ等を鼻に軽く当てて吸引する。
【００１６】
本装置のマスクまたはカニューラ等を取り外して代わりにチューブを取付け  そのチューブを浴槽中に入れることによって  水素風呂として用いることもできる。
この場合の水素化カルシウムまたは金属カルシウム、水素化アルミニウムまたは金属アルミニウムの重量は必要水素発生量に応じて計算により求めることができる。
【００１７】
（付記）
水素化カルシウムまたは金属カルシウムを水と反応せしめ  水素を発生するとともに生成する水酸化カルシウム  Ca(OH)2〔反応(1)〕の水溶液を水素化アルミニウムまたは金属アルミニウムと反応せしめることにより〔反応(2)〕2段式に更に水素を連続して発生させることを特徴とする、簡単な携帯型水素発生器。
【００１８】
上記の携帯型水素発生器により水素ガス、水素水が生成される。
【００１９】
上記の携帯型水素発生器により生成した水素ガスは、浴槽に入れることにより、水素風呂として用いることができる。
【００２０】
図2の水素発生器の底部の下に3色LEDを設置して、グラデーション照明により水素発生の泡に反射する。これにより安らぎモードを醸し出す。
【００２１】
又同時にこのグラデーション照明と同期して小鳥のさえずり音発生器を設置すると気分爽快感が出る。
【図１】
2019104664.tif 000003
【図２】
2019104664.tif 000004